Podtech/llm-jp-corpus-v4-ja_patent huggingface dataset:
(57)【特許請求の範囲】
【請求項１】
蛇口への接続口と浄水の吐出口とが設けられたケースと、そのケースの内部に設けられたモジュールケースと、モジュールケースに収納された中空糸膜とを含む蛇口直結型使い捨て浄水器であって、前記蛇口への接続口が環状または管状の弾性体で形成され、かつ、前記弾性体に蛇口を挿入することのみで蛇口に固定され、前記モジュールケースは、上流側端部が閉じられ、下流側端部で中空糸膜が接着固定され、上流側端部と下流側端部をつなぐ中央部に連通口を有することを特徴とする蛇口直結型使い捨て浄水器。
【請求項２】
除塩素濾材が設けられている、請求項１に記載の蛇口直結型使い捨て浄水器。
【発明の詳細な説明】
【０００１】
【発明の属する技術分野】
本発明は、携帯に便利で必要時には水道蛇口に簡単に接続することができる蛇口直結型使い捨て浄水器に関する。
【０００２】
【従来の技術】
従来から、蛇口に接続する使い捨て浄水器としては、残留塩素を除去する活性炭などの除塩素濾材のみを収容したものが知られている。しかしながら、たとえば旅行時に飲みなれない水を飲むことによって体調を崩してしまうことがあるように、水道水の水質は地域差が大きく、地域によっては、雑菌を含んだ水が水道水から提供されており、除塩素濾材のみを設けた浄水器では、そのような雑菌を除去することはほとんどできない。
【０００３】
また、上記のような蛇口直結型使い捨て浄水器においては、使用を中断した際に除塩素濾材内に塩素除去水が滞留し、その滞留水中で雑菌が繁殖するといったことが懸念される。
【０００４】
【発明が解決しようとする課題】
本発明の課題は、雑菌を除去できる蛇口直結型使い捨て浄水器を提供することである。
【０００５】
【課題を解決するための手段】
上記課題を解決するための本発明は、蛇口への接続口と浄水の吐出口とが設けられたケースと、そのケースの内部に設けられたモジュールケースと、モジュールケースに収納された中空糸膜とを含む蛇口直結型使い捨て浄水器であって、前記蛇口への接続口が環状または管状の弾性体で形成され、かつ、前記弾性体に蛇口を挿入することのみで蛇口に固定され、モジュールケースは、上流側端部が閉じられ、下流側端部で中空糸膜が接着固定され、上流側端部と下流側端部をつなぐ中央部に連通口を有することを特徴とする蛇口直結型使い捨て浄水器を特徴とするものである。
【０００６】
ここで、除塩素濾材が設けられていることが好ましい。
【０００７】
【発明の実施の形態】
以下に、本発明の望ましい実施の形態を、図面を参照して説明する。図１は、本発明の一実施態様を示す蛇口直結型使い捨て浄水器の概略縦断面図である。
【０００８】
図１に示す本発明の蛇口直結型使い捨て浄水器は、上部に蛇口８への接続口１、下部に浄水の吐出口５を備えたケース６に、中空糸膜４および除塩素濾材２などのその他の濾材が設けられている。各濾材はカートリッジ化されておらず、濾材の寿命を迎えると浄水器全体を交換するように構成されている。また、携帯性を高めるために、流路切換弁やそれを操作する操作レバーなどを設けず、よりコンパクト化することも好ましい。
【０００９】
本発明においては、濾材として、中空糸膜４を備えている。中空糸膜４により、原水中に含まれる赤サビ・ニゴリなどの懸濁物質ほか、一般細菌、大腸菌群、原虫類等を除去することができる。したがって、水がケース６内に滞留した場合には雑菌が繁殖し易いが、この中空糸膜４によって繁殖した雑菌も除去し、浄水を提供することが可能である。中空糸膜４は、Ｕ字状に折り曲げられ、端部が開口しているモジュールケース７に収容されている。中空糸膜４の端部は、接着剤でモジュールケース７に接着固定されるとともに、端面が開口するように構成されている。中空糸膜４は、Ｕ字状に折り曲げて収容することにより、濾材充填率を高くすることができる。
【００１０】
また、その中空糸膜４の周囲に、活性炭や亜硫酸カルシウムなどの除塩素濾材２や、処理水中のカルシウムやマグネシウムなどの硬度成分を除去するイオン交換体などを設けることも好ましい。この場合、中空糸膜よりも上流側に他の濾材を設けるとともに、モジュールケース７の中央部に連通口３を設け、他の濾材の処理水を中空糸膜が浄化するように構成すると、浄水器非使用時に他の濾材内で滞留していた水を中空糸膜４で浄化してから吐出することができる。
【００１１】
さらに、接続口１は、たとえば、ゴムパッキン、割リングおよびナットや、ゴムパッキンとビス止め部材などから構成することができるが、シール性とともに取付容易性を高めるためには、接続口１を環状や管状の弾性体で形成し、蛇口８をこの弾性体に挿入、固定するように構成することが好ましい。
【００１２】
次に、図１に示す本発明の蛇口直結型使い捨て浄水器における水の流れについて説明する。
【００１３】
水栓を開くと水道水は蛇口８から接続口１を通って使い捨て浄水器内に流入する。流入した水は、まず除塩素濾材２を通過し、水道水中の残留塩素を除去する。残留塩素が除去された水は、連通口３を通って中空糸膜４に供給される。中空糸膜４では、赤サビ、ニゴリ、一般細菌、大腸菌群、原虫類等が除去され、膜面を通過した水が吐出口５から浄水として吐出される。
【００１４】
【発明の効果】
以上のように、本発明の蛇口直結型使い捨て浄水器は中空糸膜を備えているので、水道水に含まれる雑菌や滞留水中で繁殖した雑菌を除去でき、かつ、蛇口に管状や環状の弾性体等を介して直結されるので体積を小さくすることができる。
そのため、携帯性が高くなり、旅行等にも携帯して日常飲みなれていない水質の水を浄化して飲むことができる。
【図面の簡単な説明】
【図１】本発明の一実施態様に係る蛇口直結型使い捨て浄水器の概略縦断面図である。
【符号の説明】
１：蛇口への接続口              ２：除塩素濾材
３：連通口                      ４：中空糸膜
５：浄水の吐出口                ６：ケース
７：モジュールケース            ８：蛇口
【図１】
0004644929.tif 000002
(57)【特許請求の範囲】
【請求項１】
非接触式ＩＣカード用の収納ケースの収納部の内面に導電シート層をパウチした電磁波遮蔽袋を設けて成り、該電磁波遮蔽袋は、上部が開口してあり、且つその背面が長くしてあり、該背面の先端付近に第一の粘着性テープを設けられており、前記背面は収納した非接触式ＩＣカードの上部突出部を覆い被せた状態で、外被の収納部に設けた第二の粘着性テープと着脱可能であることを特徴とするＩＣカード用電磁波遮蔽収納ケース。
【請求項２】
導電シート層が、プラスチックフィルムに導電性金属線製金網を接着して成る導電性ラミネートフィルムであることを特徴とする請求項１記載のＩＣカード用電磁波遮蔽収納ケース。
【請求項３】
導電性金属線製金網が、細径銅線製金網であることを特徴とする請求項２記載のＩＣカード用電磁波遮蔽収納ケース。
【発明の詳細な説明】
【０００１】
【発明の属する技術分野】
本発明はＩＣカード用電磁波遮蔽収納ケースに関するものである。更に詳述すれば本発明は電波信号によりデータの授受を行う非接触式ＩＣカードの電磁波遮蔽を目的としたＩＣカード用の収納ケース（例えば、札入れ状財布）に関するものである。
【０００２】
【従来の技術】
近年、各種のＩＣカードが多方面で利用されるようになってきている。
【０００３】
この種のＩＣカードには内臓する記憶素子に対するデータの読み・書き方式として接触式と非接触式とがある。
【０００４】
これらのうち接触式ＩＣカードはカードの表面に入出力端子を露出させておき、この露出端子を力一ドリーダ或いはライター装置の入出力端子に接触させ、それによりデータの授受を行うようになっている。
【０００５】
これに対して非接触式ＩＣカードはカード内部に巻線方式、ペース卜印刷方式、エッチング方式等によりアンテナ用コイルを設けておき、そのアンテナ用コイルを介してカードリーダ或いはライター装置と電波信号によってデータの授受を行うようになっている。
【０００６】
接触式ＩＣカードにおいては必要時にカードリーダ或いはライター装置の入出力端子に接触させてデータの授受を行うため、操作過程における問題はない。
【０００７】
【発明が解決しようとする課題】
しかし、電波信号によってデータの授受を行う非接触式ＩＣカードを従来の札入れ等に入れたまま電磁波信号が行き交う場所に行ったときには、それらの電磁波信号により不要なデータ交換が起こるという懸念があった。例えば、未使用テレフォンカードや各種プリベイドカード等を従来の札入れ等に入れたまま電磁波信号が行き交う場所に行ったときには、不要なデータ交換が起こってしまい、その結果未使用非接触式ＩＣカードが使用済みカードになってしまうという懸念があった。
【０００８】
本発明はかかる点に立って為されたものであって、その目的とするところは前記した従来技術の欠点を解消し、収納ケースの収納部内に非接触式ＩＣカードを収納すれば外界の不要な電磁波を完全に遮断することかできるＩＣカード用電磁波遮蔽収納ケースを提洪することにある。
【０００９】
【課題を解決するための手段】
本発明の要旨とするところは、非接触式ＩＣカード用の収納ケースの収納部の内面に導電シート層を設けて成ることを特徴とするＩＣカード用電磁波遮蔽収納ケースにある。
【００１０】
本発明において導電シート層としては、プラスチックフィルムに導電性金属線製金網を接着して成る導電性ラミネートフィルムであることが好ましい。
【００１１】
本発明において導電性金属線製金網としては、細径銅線製金網であることが好ましい。
【００１２】
更に、この導電性ラミネートフィルムは袋状にしたものが望ましい。
【００１３】
即ち、本発明は従来の電磁波防止対策札入れは非接触式ＩＣカードの収納部の内面に導電性シート材、例えば銅線網を接着した導電性ラミネートフィルムを内包させて成るものである。
【００１４】
このように構成した本発明のＩＣカード用電磁波遮蔽収納ケースは、外部機器から発せられる電磁波、例えばカードリーダ或いはライター装置等から発せられる電磁波をその導電性内包材によって完全に遮断することができる。つまり本発明のＩＣカード用電磁波遮蔽収納ケースの収納部内に非接触式ＩＣカードを収納すれば、不要な電磁波を完全に遮蔽でき、それによって不用な電磁波交換を完全に抑止することができる。
【００１５】
【発明の実施の形態】
次に、本発明のＩＣカード用電磁波遮蔽収納ケースの実施の形態について説明する。
【００１６】
次に、本発明のＩＣカード用電磁波遮蔽収納ケースの一実施例について説明する。
【００１７】
図１は本発明のＩＣカード用電磁波遮蔽収納ケースの一実施例を横断面図である。
【００１８】
図１において１は皮製札入れ本体、２は銅線網入り導電性ラミネートフィルム製の電磁波遮蔽袋、３、３はマジックテープから粘着性テープである。
【００１９】
図１から分かるように本発明の一実施例のＩＣカード用電磁波遮蔽収納ケースは市販の皮製札入れ１をベースとし、その皮製札入れ１のカード収納部の内壁に銅線網をパウチした導電性ラミネートフィルム製の電磁波遮蔽袋２を縫合して成るものである。
【００２０】
なお、導電性ラミネートフィルム製の電磁波遮蔽袋２は、その上部が開口してあり、且つその背面が長くしてある。このように背面が長くすることにより導電性ラミネートフィルム製の電磁波遮蔽袋２内に収納した非接触式ＩＣカードの上部突出部を覆い被せることがてきる。また、銅線網入り導電性ラミネートフィルムをオーバーラップさせて成る電磁波遮蔽袋２は、マジックテープ３、３により外被の皮製札入れと接着できるように構成してある。
【００２１】
かくして得られた本発明の一実施例のＩＣカード用電磁波遮蔽収納ケースはその収納部内に非接触式ＩＣカードを収納し、それから電磁波信号が行き交う場所に行ったととしても不要なデータ交換を完全に抑止することができる。
【００２２】
【発明の効果】
本発明のＩＣカード用電磁波遮蔽収納ケースは、その収納部内に非接触式ＩＣカードを収納することにより不要な電磁波信号を完全に遮断することができるものであり、工業上有用である。
【図面の簡単な説明】
【図１】本発明の一実施例のＩＣカード用電磁波遮蔽収納ケースを示した横断面図である。
【符号の説明】
１  皮製札入れ本体
２  電磁波遮蔽袋
３  粘着性テープ
【図１】
0004644901.tif 000002
(57)【特許請求の範囲】
【請求項１】
段積み可能な溶接電源であって、内部に溶接出力を制御する制御部を配置した箱体を備え、前記箱体の底面に複数の脚部を設け、前記各脚部を内側の位置に配置可能な寸法であり前記脚部の高さよりも低い凸部を前記箱体の上面に４つ設け、前記４つの凸部のうち２つは絞り加工により前記上面に設けられ、前記４つの凸部の残りの２つは搬送用取っ手として前記上面に設けられ、前記搬送用取っ手を脚部の固定と兼用とした溶接電源。
【発明の詳細な説明】
【０００１】
【発明の属する技術分野】
本発明は、２台以上を段積み使用可能な溶接電源に関するものである。
【０００２】
【従来の技術】
近年、溶接出力を制御する制御技術の進展に伴い、内部の溶接出力制御部品が小形軽量化され、それらから構成される溶接電源は、従来の同等性能の溶接電源に比べて、体積、質量とも大幅に小さくなり、その結果、溶接電源の設置場所も、床面直置きから卓上に設置されることが多くなった。
【０００３】
また、近年、小形精密部品の溶接に際して、限られたスペースの中で、数台の溶接機を同時に使用したり、保管する必要性が高まっている。
【０００４】
このような従来の溶接電源では、卓上に横並びに並列して置かれるか、縦積みにする場合は、数段ある棚に１台ずつ設置されることが多かった。
【０００５】
このため、溶接電源が小型化されても、設置スペースが従来と同程度であったり、新たな溶接電源を設置するための棚が必要となっていた。
【０００６】
【発明が解決しようとする課題】
限られたスペースの中で、数台の溶接機を同時に使用したり、保管するために、溶接電源を上下に段積みすることが考えられるが、１台の溶接電源の上に直接他の溶接電源を段積みした場合は、不安定で、少しの振動や外力により、滑り落ちる危険性があった。
【０００７】
そこで、本発明は、溶接電源の箱体の外観を著しく損なわずに、上段の溶接電源が少しの振動や外力で滑り落ちない安定な設置ができ、さらに下段の箱体上面の上に積まれた溶接電源の荷重を支えることができる溶接電源を提供するものである。
【０００８】
【課題を解決するための手段】
上記課題を解決するため、本発明は、数台の溶接電源を数台上下方向に段積み可能な構造の箱体の溶接電源を提供するものである。上記目的を達成するために、本溶接電源の箱体の底面に複数の脚部を設け、前記各脚部を内側の位置に配置可能な寸法であり前記脚部の高さよりも低い凸部を前記箱体の上面に４つ設け、前記４つの凸部のうち２つは絞り加工により前記上面に設けられ、前記４つの凸部の残りの２つは搬送用取っ手として前記上面に設けられ、前記搬送用取っ手を脚部の固定と兼用としている。
【００１０】
【発明の実施の形態】
上記構成によれば、上に溶接電源を載せた場合に、上の溶接電源の複数の脚部が、下の溶接電源の凸部の内部に嵌まり込むので、溶接電源に振動や外力が加わっても上に載せた溶接電源が滑り落ちない。
【００１１】
また、凸部を複数設け、凸部のうち２つを溶接電源の搬送用取っ手として兼用したので、載置しやすく、かつ移動させる際に便利となる。
【００１２】
（実施の形態例）
以下、本発明の実施の形態例について図面を参照しながら説明する。
【００１３】
図１は本発明の溶接電源を２段積みした状態の側面図、図２は、その正面図である。１は箱体の上面板２に設けられた凸部、３は搬送用の取っ手、４は底面板５に取り付けられた脚である。
【００１４】
図３は、溶接電源の凸部１と取っ手３および脚４の配置位置を示す上面図である。
【００１５】
図４は上面板２に設けられた凸部１の一例を示すその断面の拡大図である。
【００１６】
図３に示す通り、上段の溶接電源の脚４は、下段の溶接電源の凸部１および取っ手３の内側の位置に配置されているため、２段積みしても脚４が凸部１、取っ手３に阻まれているため、少しの振動や外力が上段溶接電源に加わっても下段の溶接電源から滑り落ちることはなく、安定した段積みが可能となる。
【００１７】
また、凸部１が図４に示すように、上面板２に絞り加工等により設けられているため、上面板２の断面係数が増加し、その近傍で上段の溶接電源の脚４からの荷重を支えるため、上面板２の荷重による曲がりやヘコミ等損傷はなく段積みできる。
【００１８】
また、取っ手３を脚４の固定用の構造と兼用することで、コスト面、製造面で効果がある。
【００１９】
【発明の効果】
本発明によれば、数台の溶接電源を段積みして使用あるいは保管する場合、上段溶接電源の脚部が下段溶接電源の上面の凸部および取っ手の内側に設けられているため、少しの振動や外力が上段溶接電源に加わっても下段の溶接電源から滑り落ちることはなく、安定した段積みが可能となる。
【００２０】
また、箱体上面の凸部は、上面板の断面係数の増加となり、上面板の強度剛性が増し、段積みにも十分耐えうるものとなる。
【図面の簡単な説明】
【図１】本発明の実施の形態例における溶接電源を２段積みした状態の側面図
【図２】同溶接電源を２段積みした状態の正面図
【図３】同溶接電源の凸部１と取っ手３および脚４の配置位置を示す上面図
【図４】同上面板２に設けられた凸部の一例を示すその拡大図
【符号の説明】
１    凸部
２    上面板
３    取っ手
４    脚
５    底面板
【図１】
0004644906.tif 000002
【図２】
0004644906.tif 000003
【図３】
0004644906.tif 000004
【図４】
0004644906.tif 000005
(57)【特許請求の範囲】
【請求項１】
軸状の持ち手部と、当該持ち手部の一端から二股に分かれて延び、頬と歯肉の間に挿入できるとともに口の開閉運動に負荷を与えることができる一対の当て部と、前記持ち手部の他端に形成され操作しやすくするためのつまみ部とを備え、前記つまみ部、前記持ち手部および前記当て部は、平面視Ｙ字状且つ側面視半円の円弧状となるように、球表面を覆うように湾曲して樹脂で一体形成されてなり、頬と歯肉の間に前記当て部を挿入した状態で前記持ち手部を上下方向に引っ張ることにより、前記当て部が頬内で引っ掛かり、口角挙筋、大頬骨筋および下制筋のいずれかの筋肉に負荷をかけることを特徴とする頬スリム器具。
【請求項２】
前記一対の当て部は、前記持ち手部の一端から二股に分かれて、互いに離れながら延びるように湾曲して形成されてなることを特徴とする請求項１記載の頬スリム器具。
【発明の詳細な説明】
【技術分野】
【０００１】  本発明は、頬全体の筋肉運動で、頬のたるみの脂肪を燃焼しスリムにシェイプアップにするように図った頬スリム器具に関する。
【背景技術】
【０００２】  従来の顔やせ器具は、口の中にバネ式の顔やせ器具を装着し、口を横方向に開口させ、運動をさせるものが知られている。
【特許文献１】  特開２００３−１３５６２４号公報
【発明の開示】
【発明が解決しようとする課題】
【０００３】  上記特許文献１の顔やせ器具では、唇に挟み筋肉運動をして脂肪を燃焼させるものだった。しかし、唇に挟んで運動をするため、唇周辺の筋肉は鍛えられるが、顔を引き締る口角拳筋、大頬骨筋、下制筋への運動効果は低いものであった。
【課題を解決するための手段】
【０００４】  持ち手部と、頬と歯肉の間に挿入できるとともに、口の開閉運動に負荷を与えることができる一対の当て部とより構成している。
【発明の効果】
【０００５】  （１）持ち手部と、頬と歯肉の間に挿入できると共に、口の開閉運動に負荷を与えることができる一対の当て部とより構成しているため、歯肉と頬の間に器具を容易にセットでき、持ち手部を指で引っ張ることにより、任意の負荷を容易にかけることができる。【０００６】  （２）前記（１）によって、当て部は上下を問わないので、シワの解消・頬のシェイプアップに影響のある、口角拳筋、大頬骨筋、下制筋に別個に負荷をかけ、開閉運動をすることができる。【０００７】  （３）前記（１）によって、引き締めたい筋肉付近に当て具を当てて負荷をかけ、口の開閉運動することで、頬のたるみを引き締める口角拳筋、大頬骨筋、下制筋を部分的・効果的に鍛えることができ、脂肪を燃焼させることができる。したがって、頬全体をスリムにシェイプアップできる。【０００８】  （４）前記（１）によって、唇奥の上部及び下部に本発明品をセットし、つまみ部を指で引っ張り負荷をかけながら、唇と頬をつぼめるように運動すれば、顔全体の筋肉を運動させることができる。【０００９】  （５）請求項２も前記（１）〜（３）の効果が得られる。【００１０】  （６）請求項３も前記（１）〜（４）の効果が得られると共に、つまみ部を有しているため、指の引っ掛かりができ、より楽に負荷をかけることができる。
【発明を実施するための最良の形態】
【００１１】以下、本発明の第１の実施の形態を図１〜図３に基づいて説明する。
軸状の持ち手部（１）の一端に、二股の当て部（２）を形成する。他端には指が引っ掛かりやすいよう、つまみ部（３）を設ける。また、前記つまみ部（３）、前記持ち手部（１）および前記当て部（２）は、平面視Ｙ字状且つ側面視半円の円弧状となるように、球表面を覆うように湾曲して樹脂で一体形成されている。
持ち手部（１）はポリプロピレン、ウレタン、エストラマー等の樹脂で形成されていることが望ましい。また、当て部（２）の先端は頬の内側（４）と歯肉（６）の間に挿入し、口の開閉運動に負荷をかける際に、ポリプロピレンでも良いが口腔内を痛めることのないよう弾性を有するゴム、シリコン等の材料で形成されていることが望ましい。
また、このような材料で形成されているため、口腔内の形状に適合させることができる。
このようにした二股の当て部（２）を口角拳筋（８）付近の歯肉（６）と、頬の内側（４）の間にセットして歯を閉じ、つまみ部（３）を、指（７）でつまんで上又は下方向に負荷をかけ、唇と頬全体を閉じて、開いての繰り返しの運動をする。
大頬骨筋（９）や下制筋（１０）を鍛えたい場合も同様に当て部（２）をセットし、負荷をかけて運動する。【００１２】  本発明の第２の実施の形態について、図４に基づいて説明する。
前記第１の実施の形態と主に異なる点は、つまみ部（３）がリング状に形成されている点で、このような構成でも前記第１の実施の形態と同様の作用効果が得られる。【００１３】  本発明の第３の実施の形態について、図５に基づいて説明する。
前記実施の形態と主に異なる点は、連結部（１１）を有している点である。このような構成でも前記第１及び第２の実施の形態と同様の作用効果が得られる。
【図面の簡単な説明】
【００１４】
【図１】本発明の第１の実施の形態の斜視図
【図２】本発明の第１の実施の形態の使用説明図
【図３】本発明の第１の実施の形態の使用状況を示す図
【図４】本発明の第２の実施の形態の斜視図
【図５】本発明の第３の実施の形態の斜視図
【図６】顔の筋肉説明図
【符号の説明】
【００１５】１    持ち手部
２    当て部
３    つまみ部
４    頬の内側
５    唇
６    歯肉
７    指
８    口角拳筋
９    大頬骨筋
１０  下制筋
１１  連結部
【図１】
0004660783.tif 000002
【図２】
0004660783.tif 000003
【図３】
0004660783.tif 000004
【図４】
0004660783.tif 000005
【図５】
0004660783.tif 000006
【図６】
0004660783.tif 000007
(57)【特許請求の範囲】
【請求項１】
本体の少なくとも上面部に吸込口を設け、底面前部に吹出口を設け、これら吸込口と吹出口を結ぶ空気通路に、側面視で逆略Ｖ字状に形成された熱交換器と、送風ファンを設け、前記熱交換器の上部にフィルタガイドを兼ねた遮蔽板を設け、前記吸込口と前記熱交換器との間に前記フィルタガイドにより裏面がガイドされるフィルタを設けるとともに、前記遮蔽板に室温サーミスタを取り付けてなる空気調和機において、
前記室温サーミスタに対向する前記吸込口には触指防止用の網目部が設けられ、前記室温サーミスタは、前記遮蔽板に一体に形成され、前記フィルタの裏面から少許離間する位置で前記室温サーミスタの底部を受ける受け板と、同受け板の一側に連続形成され、先端に係止爪を備えた係止片と、前記受け板の他側に前記係止片と略平行に折曲形成された保護片とからなる取付部に取り付けられてなることを特徴とする空気調和機。
【発明の詳細な説明】
【０００１】
【発明の属する技術分野】
本発明は、空気調和機に係わり、より詳細には、フィルタを取外した状態でフィルタガイドを兼ねる遮蔽版に取り付けた室温サーミスタに触指できないように防止した構造に関する。
【０００２】
【従来の技術】
従来の空気調和機は、例えば図２で示すように、本体１の少なくとも上面部に吸込口２を設け、底面前部に吹出口３を設け、これら吸込口２と吹出口３とを結ぶ空気通路に、側面視で逆略Ｖ字状に形成された熱交換器４と、送風ファン５とを設け、前記熱交換器４の上部にフィルタガイドを兼ねた遮蔽板６を設け、前記吸込口２と前記熱交換器４との間に前記フィルタガイドにより裏面が挿脱可能にガイドされるフィルタ７を設けるとともに、前記遮蔽板６に室温サーミスタ８を取り付けてなる構成であった。
【０００３】
しかしながら、例えば前記フィルタ７を取り外した際、前記吸込口２から前記室温サーミスタ８に触指できる可能性が生じることによって、場合によってはＣＥなどの安全規格に触れる可能性が残った。
【０００４】
【発明が解決しようとする課題】
本発明は、上記問題点に鑑み、フィルタを取外した状態でフィルタガイドを兼ねる遮蔽版に取り付けた室温サーミスタに触指できないように防止した空気調和機を提供することを目的とする。
【０００５】
【課題を解決するための手段】
本発明は、上記課題を解決するため、本体の少なくとも上面部に吸込口を設け、底面前部に吹出口を設け、これら吸込口と吹出口を結ぶ空気通路に、側面視で逆略Ｖ字状に形成された熱交換器と、送風ファンを設け、前記熱交換器の上部にフィルタガイドを兼ねた遮蔽板を設け、前記吸込口と前記熱交換器との間に前記フィルタガイドにより裏面がガイドされるフィルタを設けるとともに、前記遮蔽板に室温サーミスタを取り付けてなる空気調和機において、
前記室温サーミスタに対向する前記吸込口には触指防止用の網目部が設けられ、前記室温サーミスタは、前記遮蔽板に一体に形成され、前記フィルタの裏面から少許離間する位置で前記室温サーミスタの底部を受ける受け板と、同受け板の一側に連続形成され、先端に係止爪を備えた係止片と、前記受け板の他側に前記係止片と略平行に折曲形成された保護片とからなる取付部に取り付けられた構成となっている。
【０００６】
以上
【０００７】
【発明の実施の形態】
以下、本発明の実施の形態を図面に基づいた実施例として詳細に説明する。
図１は本発明による空気調和機の説明図で、（Ａ）は断面図であり、（Ｂ）は要部断面図であり、（Ｃ）は要部斜視図である。
【０００８】
図で示すように、本発明による空気調和機の基本構成は、上記に説明した従来技術と同様に、本体１の少なくとも上面部に吸込口２を設け、底面前部に吹出口３を設け、これら吸込口２と吹出口３とを結ぶ空気通路に、側面視で逆略Ｖ字状に形成された熱交換器４と、送風ファン５とを設け、前記熱交換器４の上部にフィルタガイドを兼ねた遮蔽板６を設け、前記吸込口２と前記熱交換器４との間に前記フィルタガイドにより裏面が挿脱可能にガイドされるフィルタ７を設けるとともに、前記熱交換器４の逆略Ｖ字部から熱交換されない空気が通過しないように遮蔽する前記遮蔽板６に室温サーミスタ８を取り付けた構成となっている。
【０００９】
ところで、本発明の目的は、前記フィルタ７を取り外した場合であっても、前記吸込口２から前記室温サーミスタ８に手指が触れてしまう恐れがないようにすることにある。
【００１０】
その目的を達成するため、図１（Ａ）で示すように、前記室温サーミスタ８に対向する前記吸込口２に触指防止用の網目部９を形成した構成になっている。
【００１１】
そして、図１（Ｂ）および図１（Ｃ）で示すように、前記室温サーミスタ８が、前記遮蔽板６に一体形成され、前記フィルタ７の裏面から少許下方に離間する位置で前記室温サーミスタ８の底部を受ける受け板10a と、同受け板10a の一側に連続形成された先端に係止爪10b を備えた係止片10c と、前記受け板10a の他側に前記係止片10c と略平行に折曲形成された横方向からの触指を防ぐ保護片10d とからなる取付部10に取り付けられた構成となっている。
【００１２】
これによって、上記に説明した従来技術における問題点を解決できるようになり、前記フィルタ７を取外しても、前記室温サーミスタ８に手指で触れることができないように正確に保護できるようになって、場合によってはＣＥなどの安全規格に触れるという可能性がなくなる。
【００１３】
【発明の効果】
以上説明したように、本発明によると、フィルタを取外した状態でフィルタガイドを兼ねる遮蔽版に取り付けた室温サーミスタに触指できないように防止した空気調和機となる。
【図面の簡単な説明】
【図１】本発明による空気調和機の説明図で、（Ａ）は断面図であり、（Ｂ）は要部断面図であり、（Ｃ）は要部斜視図である。
【図２】従来例による空気調和機の断面図である。
【符号の説明】
１  本体
２  吸込口
３  吹出口
４  熱交換器
５  送風ファン
６  遮蔽板（フィルタガイド）
７  フィルタ
８  室温サーミスタ
９  網目部
10  取付部
10a 受け板
10b 係止爪
10c 係止片
10d 保護片
【図１】
0004660930.tif 000002
【図２】
0004660930.tif 000003